(57)【要約】【課題】移動体電話機が無線ＬＡＮエリアに存在しないときに、主装置が内線番号から外線番号に転送する場合、内線電話要求が行われた旨を移動体電話機の利用者に迅速に通知する。【解決手段】移動体電話機１２は、ＬＡＮ通信網３〜７と公衆回線網１とに接続され、第１内線番号と第１外線番号とが割り当てられている。発信側電話機８〜１１は、ＬＡＮ通信網３〜７に接続され、第２内線番号と第２外線番号とが割り当てられ、内線電話要求として第１内線番号を送信する。主装置２は、移動体電話機１２が無線ＬＡＮエリアに存在しない場合、第１、第２内線番号と第１、第２外線番号とが格納された転送先テーブルを参照して、転送先電話番号として第１外線番号により公衆回線網１を介して移動体電話機１２に発呼し、内線電話要求が行われた旨を含む発信者情報を音声データにより公衆回線網１を介して移動体電話機１２に通知する。【選択図】図１
2007281866.tif 000002
【特許請求の範囲】
【請求項１】
ＬＡＮ通信網と公衆回線網とに接続され、第１内線番号と第１外線番号とが割り当てられた移動体電話機と、
前記ＬＡＮ通信網に接続され、第２内線番号と第２外線番号とが割り当てられ、前記移動体電話機に対して内線電話を行なうための内線電話要求として、前記第１内線番号を送信する発信側電話機と、
前記ＬＡＮ通信網と前記公衆回線網とに接続され、第３外線番号が割り当てられた主装置とを具備し、
前記主装置は、
前記移動体電話機が無線ＬＡＮエリアに存在するか否かを監視するサーバと、
前記第１、第２内線番号と前記第１、第２外線番号とが格納された転送先テーブルと、
前記移動体電話機が前記無線ＬＡＮエリアに存在する場合、前記発信側電話機からの前記第１内線番号により前記ＬＡＮ通信網を介して前記移動体電話機に発呼する呼制御装置とを備え、
前記呼制御装置は、
前記移動体電話機が前記無線ＬＡＮエリアに存在しない場合、
前記転送先テーブルを参照して、前記公衆回線網を介して、転送先電話番号として前記第１外線番号により前記移動体電話機に発呼し、前記第３外線番号を含む公衆発信者情報を前記移動体電話機に送信し、
前記公衆発信者情報に従って前記公衆回線網の呼を確立させたとき、前記内線電話要求が行われた旨を含む発信者情報を音声により前記公衆回線網を介して前記移動体電話機に通知する
電話システム。
【請求項２】
請求項１に記載の電話システムにおいて、
前記主装置は、
前記発信者情報を表す音声データを生成する発信者情報生成装置を更に備え、
前記呼制御装置は、前記公衆回線網を介して、前記第１外線番号により前記移動体電話機に発呼し、前記発信者情報生成装置により生成された前記音声データを前記移動体電話機に通知し、
前記移動体電話機は、
前記呼制御装置からの発呼である場合に前記音声データを受信する制御部と、
前記制御部により受信された前記音声データを音声により出力する音声出力部と
を備えている電話システム。
【請求項３】
請求項２に記載の電話システムにおいて、
前記制御部は、前記呼制御装置からの発呼である場合に前記音声データを受信し、前記音声データが表す前記発信者情報を出力し、
前記移動体電話機は、
前記制御部からの前記発信者情報を表す表示データを生成する発信者情報変換部と、
前記表示データを表示する表示部と
を更に備えている電話システム。
【請求項４】
請求項３に記載の電話システムにおいて、
前記呼制御装置は、前記公衆回線網を介して、前記第１外線番号により前記移動体電話機に発呼し、前記第３外線番号を含む前記公衆発信者情報を前記移動体電話機に送信し、
前記移動体電話機は、
前記照合用外線番号が格納された発信者情報送信装置電話番号テーブルを更に備え、
前記制御部は、
前記公衆回線網からの着呼を受ける際に送信されてくる前記公衆発信者情報に含まれる前記第３外線番号と、前記照合用外線番号とが一致するか否かを表す照合結果を生成し、
前記照合結果が一致を表す場合、前記公衆回線網の呼を確立させ、
前記呼制御装置は、前記公衆回線網の呼が確立したとき、前記転送先テーブルを参照して、発信者電話番号である前記第２外線番号又は前記第２内線番号を含む前記発信者情報を生成し、前記発信者情報生成装置に通知し、
前記発信者情報生成装置は、前記発信者情報を前記音声データとして生成し、前記呼制御装置と前記公衆回線網とを介して、前記移動体電話機に通知する
電話システム。
【請求項５】
請求項１〜４のいずれかに記載の電話システムにおいて、
前記制御部は、利用者の操作により、前記主装置からの発呼に対する応答を、前記主装置に前記公衆回線網を介して送信し、
前記呼制御装置は、前記応答を受信し、前記発信側電話機に対して、前記発信側電話機と前記移動体電話機との通話を許可する
電話システム。
【請求項６】
請求項１〜５のいずれかに記載の電話システムにおいて、
前記サーバは、
前記第１、第２内線番号が格納されたログイン有無管理テーブルと、
前記移動体電話機、前記発信側電話機がそれぞれ前記ＬＡＮ通信網を介して前記主装置にログインしているか否かを表す第１、第２監視情報を生成し、前記第１、第２内線番号に対応付けて前記ログイン有無管理テーブルに格納するサーバ制御部とを備え、
前記呼制御装置は、
前記ログイン有無管理テーブルを参照して、前記監視情報が前記移動体電話機によるログインを表している場合、前記移動体電話機が前記無線ＬＡＮエリアに存在していると判断し、
前記ログイン有無管理テーブルを参照して、前記監視情報が前記移動体電話機によるログインを表していない場合、前記移動体電話機が前記無線ＬＡＮエリアに存在しないと判断する
電話システム。
【発明の詳細な説明】
【技術分野】
【０００１】
本発明は、ＬＡＮ（Ｌｏｃａｌ  Ａｒｅａ  Ｎｅｔｗｏｒｋ）を用いて通信を行なう電話システムに関する。
【背景技術】
【０００２】
ＬＡＮを用いて通信を行なう電話システムが普及している。この電話システムは、複数の移動体電話機と、主装置とを具備している。複数の移動体電話機と主装置は、ＬＡＮ、ＬＡＮ基地局を含むＬＡＮ通信網と、公衆回線網とに接続されている。複数の移動体電話機は、ＩＰ（インターネットプロトコル）による通話が可能であり、それぞれ複数の内線番号、複数の外線番号が割り当てられている。
【０００３】
電話システムは、無線ＬＡＮエリア内においてＬＡＮ通信網により内線電話として利用される。
複数の移動体電話機のうちの第１、第２移動体電話機には、それぞれ、第１、第２内線番号と、第１、第２外線番号とが割り当てられ、第２移動体電話機の利用者が、第１移動体電話機の利用者に対して電話する場合を説明する。
この場合、第２移動体電話機は、第１移動体電話機に対して内線電話を行なうための内線電話要求として第１内線番号を送信する。第１移動体電話機が無線ＬＡＮエリアに存在する場合、主装置は、第２移動体電話機からの第１内線番号によりＬＡＮ通信網を介して第１移動体電話機に発呼する。このときに、主装置は、第１移動体電話機から応答を受け取った場合、第２移動体電話機に対して、第２移動体電話機と第１移動体電話機との通話を許可する。この場合、第２移動体電話機の利用者と、第１移動体電話機の利用者は、内線電話を行なう。
【０００４】
また、電話システムは、公衆回線網により外線電話として利用される。
第２移動体電話機は、内線電話要求として第１内線番号を送信したとき、第１移動体電話機が無線ＬＡＮエリアに存在しない。この場合、主装置は、転送先電話番号として第１外線番号により公衆回線網を介して第１移動体電話機に発呼する。しかし、主装置が第１内線番号から第１外線番号に転送した場合、第１移動体電話機に対して、内線電話要求が行われた旨が通知されないという問題がある。この場合、第１移動体電話機の利用者は、主装置が第１内線番号から第１外線番号に転送した旨を知らずに、通話してしまう。
【０００５】
上記の問題を解決する技術として、着信通知処理を実施する電話システムが、特開２００３−２８４１４４号公報（特許文献１）に記載されている。着信通知処理について、特許文献１の段落［０１２９］〜［０１３４］を参考しながら説明する。
第１移動体電話機は、無線ＬＡＮエリアに存在しない場合、ＬＡＮ通信網を介して主装置に対してログインできない。この場合、主装置は、内線電話要求として第１内線番号を第２移動体電話機から受け付けたとき、予め定められた時間、発信側である第２移動体電話機の呼を保留するか呼び出し中にし、着信先である第１移動体電話機へ電子メールや音声ガイダンスにより内線電話要求が行われた旨を伝える。そして、保留中、呼び出し中に着信先の第１移動体電話機がログインした場合、発信側の第２移動体電話機の保留を解除して、主装置は、第２移動体電話機と第１移動体電話機とを通話可能にするか、第１移動体電話機に対して呼び出し音を鳴らす。即ち、主装置は、第２移動体電話機に対して、第２移動体電話機と第１移動体電話機との通話を許可する。
一方、主装置が第２移動体電話機の呼を保留中又は呼び出し中にしてから、予め定められた時間が越えるまで、第１移動体電話機がログインされない場合、主装置は、転送先電話番号として第１外線番号により公衆回線網を介して第１移動体電話機に発呼する。
このように、ログインしていない第１移動体電話機の利用者への内線電話でも、すぐに転送先の第１移動体電話機へ発呼するのではなく、転送する前に第１移動体電話機の利用者に内線電話要求が行われた旨を通知することで、第１移動体電話機の利用者が於かれているロケーションでよいと思う方で通話することができる作用を見込んでいる。
【０００６】
しかしながら、特許文献１では、第１移動体電話機が無線ＬＡＮエリアに存在しないときに、主装置が第１内線番号から第１外線番号に転送する場合、すぐに転送先の第１移動体電話機へ発呼するのではなく、転送する前に第１移動体電話機の利用者に内線電話要求が行われた旨を通知するので、通話可能になるまでに相当の時間を要するという問題がある。現実的には、発信側の第２移動体電話機が発信をキャンセルすると思われる。また、内線電話要求が行われた旨を着信先の第１移動体電話機が知るには、受信した電子メールを見なければならず手間が掛かる。その上、第１移動体電話機の記憶容量のうちの、受信用の電子メールを格納するための記憶容量が足りない場合には、第１移動体電話機の利用者は、内線電話要求が行われた旨を得ないので電話に出られないという問題がある。
【０００７】
【特許文献１】特開２００３−２８４１４４号公報
【発明の開示】
【発明が解決しようとする課題】
【０００８】
本発明の課題は、移動体電話機が無線ＬＡＮエリアに存在しないときに、主装置が内線番号から外線番号に転送する場合、内線電話要求が行われた旨を含む発信者情報を移動体電話機の利用者に迅速に通知することができる電話システムを提供することにある。
【課題を解決するための手段】
【０００９】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１０】
本発明の電話システムは、移動体電話機（１２）と、発信側電話機（８〜１１）と、主装置（２）とを具備している。
前記移動体電話機（１２）は、ＬＡＮ通信網（３〜７）と公衆回線網（１）とに接続され、第１内線番号と第１外線番号とが割り当てられている。
前記発信側電話機（８〜１１）は、前記ＬＡＮ通信網（３〜７）に接続され、第２内線番号と第２外線番号とが割り当てられ、前記移動体電話機（１２）に対して内線電話を行なうための内線電話要求として、前記第１内線番号を送信する。
前記主装置（２）は、前記ＬＡＮ通信網（３〜７）と前記公衆回線網（１）とに接続され、第３外線番号が割り当てられている。
前記主装置（２）は、前記移動体電話機（１２）が無線ＬＡＮエリアに存在するか否かを監視するサーバ（２１０）と、前記第１、第２内線番号と前記第１、第２外線番号とが格納された転送先テーブル（７０１）と、呼制御装置（２００）とを備えている。
前記呼制御装置（２００）は、前記移動体電話機（１２）が前記無線ＬＡＮエリアに存在する場合、前記発信側電話機（８〜１１）からの前記第１内線番号により前記ＬＡＮ通信網（３〜７）を介して前記移動体電話機（１２）に発呼する。
前記呼制御装置（２００）は、前記移動体電話機（１２）が前記無線ＬＡＮエリアに存在しない場合、前記公衆回線網（１）を介して、転送先電話番号として前記第１外線番号により前記移動体電話機（１２）に発呼し、前記第３外線番号を含む公衆発信者情報を前記移動体電話機（１２）に送信する。この場合、前記呼制御装置（２００）は、前記公衆発信者情報に従って前記公衆回線網（１）の呼を確立させたとき、前記転送先テーブル（７０１）を参照して、前記内線電話要求が行われた旨を含む発信者情報を音声により前記公衆回線網（１）を介して前記移動体電話機（１２）に通知する。
このように、本発明の電話システムは、主装置（２）にサーバ（２１０）と転送先テーブル（７０１）と呼制御装置（２００）とを設けることにより、移動体電話機（１２）が無線ＬＡＮエリアに存在しないときに、主装置（２）が第１内線番号から第１外線番号に転送する場合、内線電話要求が行われた旨を移動体電話機（１２）の利用者に迅速に通知することができる。このため、発信側電話機（８〜１１）、移動体電話機（１２）の利用者に対して、発呼から通話まで長く待たせるような不快感を与えない。
【００１１】
本発明の電話システムにおいて、前記主装置（２）は、前記発信者情報を表す音声データを生成する発信者情報生成装置（１００）を更に備えている。
前記呼制御装置（２００）は、前記公衆回線網（１）を介して、前記第１外線番号により前記移動体電話機（１２）に発呼し、前記発信者情報生成装置（１００）により生成された前記音声データを前記移動体電話機（１２）に通知する。
前記移動体電話機（１２）は、前記呼制御装置（２００）からの発呼である場合に前記音声データを受信する制御部（８０７）と、前記制御部（８０７）により受信された前記音声データを音声により出力する音声出力部（８０２）とを備えている。
このように、本発明の電話システムは、主装置（２）に発信者情報生成装置（１００）を更に設け、移動体電話機（１２）に制御部（８０７）と音声出力部（８０２）とを設けることにより、内線電話要求が行われた旨を含む発信者情報を、移動体電話機（１２）の利用者に音声により通知することができる。
【００１２】
本発明の電話システムにおいて、前記制御部（８０７）は、前記呼制御装置（２００）からの発呼である場合に前記音声データを受信し、前記音声データが表す前記発信者情報を出力する。
前記移動体電話機（１２）は、前記制御部（８０７）からの前記発信者情報を表す表示データを生成する発信者情報変換部（８０３）と、前記表示データを表示する表示部（８０４）とを更に備えている。
このように、本発明の電話システムは、移動体電話機（１２）に発信者情報変換部（８０３）と表示部（８０４）とを更に設けることにより、内線電話要求が行われた旨を含む発信者情報を移動体電話機（１２）の利用者に表示して通知することができる。
【００１３】
本発明の電話システムにおいて、前記呼制御装置（２００）は、前記公衆回線網（１）を介して、前記第１外線番号により前記移動体電話機（１２）に発呼し、前記第３外線番号を含む前記公衆発信者情報を前記移動体電話機（１２）に送信し、
前記移動体電話機（１２）は、前記照合用外線番号が格納された発信者情報送信装置電話番号テーブル（８１１）を更に備えている。
前記制御部（８０７）は、前記公衆回線網（１）からの着呼を受ける際に送信されてくる前記公衆発信者情報に含まれる前記第３外線番号と、前記照合用外線番号とが一致するか否かを表す照合結果を生成する。
前記照合結果が一致を表す場合、前記制御部（８０７）は、前記公衆回線網（１）の呼を確立させる。
前記呼制御装置（２００）は、前記公衆回線網（１）の呼が確立したとき、前記転送先テーブル（７０１）を参照して、発信者電話番号である前記第２外線番号又は前記第２内線番号を含む前記発信者情報を生成し、前記発信者情報生成装置（１００）に通知する。
前記発信者情報生成装置（１００）は、前記発信者情報を前記音声データとして生成し、前記呼制御装置（２００）と前記公衆回線網（１）とを介して、前記移動体電話機（１２）に通知する。
このように、本発明の電話システムは、移動体電話機（１２）に発信者情報送信装置電話番号テーブル（８１１）を更に設けることにより、内線電話要求が行われた旨を含む発信者情報を移動体電話機（１２）の利用者に確実に通知することができる。
【００１４】
本発明の電話システムにおいて、前記制御部（８０７）は、利用者の操作により、前記主装置（２）からの発呼に対する応答を、前記主装置（２）に前記公衆回線網（１）を介して送信する。
前記呼制御装置（２００）は、前記応答を受信し、前記発信側電話機（８〜１１）に対して、前記発信側電話機（８〜１１）と前記移動体電話機（１２）との通話を許可する。
【００１５】
本発明の電話システムにおいて、前記サーバ（２１０）は、前記第１、第２内線番号が格納されたログイン有無管理テーブル（２１０ａ）と、前記移動体電話機（１２）、前記発信側電話機（８〜１１）がそれぞれ前記ＬＡＮ通信網（３〜７）を介して前記主装置（２）にログインしているか否かを表す第１、第２監視情報を生成し、前記第１、第２内線番号に対応付けて前記ログイン有無管理テーブル（２１０ａ）に格納するサーバ制御部（２１０ｂ）とを備えている。
前記呼制御装置（２００）は、前記ログイン有無管理テーブル（２１０ａ）を参照して、前記監視情報が前記移動体電話機（１２）によるログインを表している場合、前記移動体電話機（１２）が前記無線ＬＡＮエリアに存在していると判断する。
前記呼制御装置（２００）は、前記ログイン有無管理テーブル（２１０ａ）を参照して、前記監視情報が前記移動体電話機（１２）によるログインを表していない場合、前記移動体電話機（１２）が前記無線ＬＡＮエリアに存在しないと判断する。
【発明の効果】
【００１６】
本発明の電話システムは、移動体電話機（１２）が無線ＬＡＮエリアに存在しないときに、主装置（２）が第１内線番号から第１外線番号に転送する場合、内線電話要求が行われた旨を含む発信者情報を移動体電話機（１２）の利用者に迅速に通知することができる。このため、発信側電話機（８〜１１）、移動体電話機（１２）の利用者に対して、発呼から通話まで長く待たせるような不快感を与えない。
【発明を実施するための最良の形態】
【００１７】
以下に添付図面を参照して、本発明の電話システムについて詳細に説明する。
【００１８】
図１は、本発明の電話システムの構成を示すブロック図である。本発明の電話システムは、複数の電話機と、主装置２と、ＬＡＮ通信網と、公衆回線網１とを具備している。
ＬＡＮ通信網は、ＬＡＮ３、無線ＬＡＮ基地局４、有線ＬＡＮ基地局５を含んでいる。無線ＬＡＮ基地局４、有線ＬＡＮ基地局５は、ＬＡＮ３に接続されている。
主装置２は、ＬＡＮ３、公衆回線網１に接続されている。公衆回線網１に接続している公衆回線網Ｉ／Ｆ４００には、第３外線番号が割り当てられている。
複数の電話機は、ＩＰ（インターネットプロトコル）による通話が可能であり、それぞれ複数の内線番号、複数の外線番号が割り当てられている。複数の電話機は、例えば、無線ＬＡＮ内蔵移動体電話機（以下、移動体電話機）８、９、１２と、有線ＬＡＮ構内電話機（以下、構内電話機）１０、１１とを含んでいる。
移動体電話機８、９、１２は、公衆回線網１に接続され、無線ＬＡＮ６により無線ＬＡＮ基地局４に接続される。無線ＬＡＮ基地局４は、無線ＬＡＮエリア内に存在する移動体電話８、９、１２に対する呼制御を行う。
構内電話機１０、１１は、有線ＬＡＮ７により有線ＬＡＮ基地局５に接続される。有線ＬＡＮ基地局５は、構内電話機１０、１１に対する呼制御を行う。
主装置２は、複数の電話機のうちの１つの電話機である発信側の電話機と、他の１つの電話機である着信側の電話機とを中継する。
【００１９】
本発明の電話システムは、無線ＬＡＮエリア内においてＬＡＮ通信網により内線電話として利用される。
例えば、移動体電話機８、９、１２のうちの１つの移動体電話機（例えば、移動体電話機１２）を着信側の電話機とし、複数の電話機のうちの移動体電話機１２以外の電話機（例えば、構内電話機１０）を発信側電話機とする。移動体電話機１２、発信側電話機１０には、それぞれ、第１、第２内線番号と、第１、第２外線番号とが割り当てられ、主装置２の公衆回線網Ｉ／Ｆ４００には第３外線番号が割り当てられ、発信側電話機１０の利用者は、移動体電話機１２の利用者に対して電話する場合を説明する。
この場合、発信側電話機１０は、内線電話要求として第１内線番号を送信する。移動体電話機１２が無線ＬＡＮエリアに存在する場合、主装置２は、発信側電話機１０からの第１内線番号によりＬＡＮ通信網を介して移動体電話機１２に発呼する。このときに、主装置２は、移動体電話機１２から応答を受け取った場合、発信側電話機１０に対して、発信側電話機１０と移動体電話機１２との通話を許可する。この場合、発信側電話機１０の利用者と、移動体電話機１２の利用者は、内線電話を行なう。
【００２０】
また、本発明の電話システムは、公衆回線網１により外線電話として利用される。
発信側電話機１０は、内線電話要求として第１内線番号を送信したとき、移動体電話機１２が無線ＬＡＮエリアに存在しない。この場合、主装置２は、転送先電話番号として第１外線番号により公衆回線網１を介して移動体電話機１２に発呼する。移動体電話１２は着信に対して応答することで、主装置２との間で公衆回線網１を介した呼が確立される。主装置２は、内線電話要求が行われた旨を含む発信者情報を音声データとして、公衆回線網１を介して移動体電話１２へ送信する。このとき、移動体電話機１２の利用者は、その音声を聴く、もしくは表示を見ることにより、主装置２が第１内線番号から第１外線番号に転送した旨を把握して、通話することができる。
このように、本発明の電話システムは、移動体電話機１２が無線ＬＡＮエリアに存在しないときに、主装置２が第１内線番号から第１外線番号に転送する場合、内線電話要求が行われた旨を含む発信者情報を移動体電話機１２の利用者に迅速に通知することができる。このため、発信側電話機１０、移動体電話機１２の利用者に対して、発呼から通話まで長く待たせるような不快感を与えない。
【００２１】
図２は、主装置２の構成を示すブロック図である。主装置２は、発信者情報生成装置１００、呼制御装置２００、レジストサーバ２１０、ゲートウエイ３００、インタフェース部、メモリ部７００を具備している。
【００２２】
呼制御装置２００は、発信者情報生成装置１００、レジストサーバ２１０、ゲートウエイ３００、インタフェース部、メモリ部７００に接続され、これらを制御する。
インタフェース部は、ゲートウエイ３００を介して呼制御装置２００に接続されている。このインタフェース部は、公衆回線網インタフェース４００、無線ＬＡＮ網インタフェース５００、有線ＬＡＮ網インタフェース６００を含んでいる。公衆回線網インタフェース４００は、公衆回線網１を介して移動体電話機８、９、１２に接続されるインタフェースである。無線ＬＡＮ網インタフェース５００は、ＬＡＮ３、無線ＬＡＮ基地局４を介して、無線ＬＡＮエリア内に存在する移動体電話機８、９、１２に接続されるインタフェースである。有線ＬＡＮ網インタフェース６００は、ＬＡＮ３、有線ＬＡＮ基地局５を介して構内電話機１０、１１に接続されるインタフェースである。
メモリ部７００には、後述の転送先テーブル７０１が格納されている。
レジストサーバ２１０は、後述のログイン有無管理テーブル２１０ａ、サーバ制御部２１０ｂを備えている。
【００２３】
図３は、ログイン有無管理テーブル２１０ａを示している。ログイン有無管理テーブル２１０ａには、複数の電話機のそれぞれに割り当てられた複数の内線番号が格納されている。サーバ制御部２１０ｂは、呼制御装置２００、ゲートウエイ３００、インタフェース部、ＬＡＮ通信網３〜７を介して複数の電話機がログインしているか否かを監視する。このサーバ制御部２１０ｂは、複数の電話機がそれぞれＬＡＮ通信網３〜７を介して主装置２にログインしているか否かを表す複数の監視情報を生成し、複数の内線番号に対応付けてログイン有無管理テーブル２１０ａに格納する。
例えば移動体電話機１２が無線ＬＡＮエリアに存在する場合、ＬＡＮ通信網３、４、６を介して主装置２に対してログインすることができる。この場合、移動体電話機１２に割り当てられた第１内線番号に対応する第１監視情報は、移動体電話機１２によるログインを表している。このため、呼制御装置２００は、移動体電話機１２が無線ＬＡＮエリアに存在していると判断する。
例えば移動体電話機１２が無線ＬＡＮエリアに存在しない場合、ＬＡＮ通信網３、４、６を介して主装置２に対してログインすることができない。この場合、第１内線番号に対応する第１監視情報は、移動体電話機１２によるログインを表していない。このため、呼制御装置２００は、移動体電話機１２が無線ＬＡＮエリアに存在しないと判断する。
【００２４】
図４は、転送先テーブル７０１を示している。転送先テーブル７０１には、複数の電話機のそれぞれに割り当てられた複数の内線番号、複数の外線番号が格納されている。複数の内線番号は、例えば、複数の電話機のそれぞれを識別するために用いられる。複数の外線番号は、公衆回線網１を利用する公衆回線電話番号であり、それぞれ複数の内線番号に対する転送先電話番号でもある。
【００２５】
呼制御装置２００は、発信側電話機１０からの内線電話要求として第１内線番号を受け取ったとき、ログイン有無管理テーブル２１０ａを参照する。このとき、第１内線番号に対応する第１監視情報は、移動体電話機１２によるログインを表していない。この場合、呼制御装置２００は、移動体電話機１２が無線ＬＡＮエリアに存在しないと判断し、転送先テーブル７０１を参照して、第１内線番号から第１外線番号に転送する転送処理を行なう。
【００２６】
転送処理において、呼制御装置２００は、転送先テーブル７０１を参照して、第１内線番号に対応する第１外線番号と、第２内線番号に対応する第２外線番号とを検索し、転送先電話番号である移動体電話機１２の公衆回線電話番号と、発信者電話番号である構内電話機１０の公衆回線電話番号とを取得する。
呼制御装置２００は、取得した第２外線番号、もしくは第２内線番号を発信者情報生成装置１００に出力する。発信者情報生成装置１００は、第２外線番号、もしくは第２内線番号を含む発信者情報を生成し、呼制御装置２００に出力する。呼制御装置２００は、取得した第１外線番号により、公衆回線網インタフェース４００、公衆回線網１を介して、移動体電話機１２に発呼すると共に、上記の発信者情報を移動体電話機１２に送信する。
【００２７】
また、転送処理において、呼制御装置２００は、公衆回線網を介した呼が確立したこと検出し、確立したことを発信者情報生成装置１００に出力する。発信者情報生成装置１００は、上記の公衆回線網を介した呼が確立した旨を受け取り、それを発信側電話機１０からの内線電話要求があることを表すモデム音（Ｍｏｄｅｍ  ＴｏｎｅやＤＴＭＦ（Ｄｉａｌ  Ｔｏｎｅ  Ｍｕｌｔｉ  Ｆｒｅｑｕｅｎｃｙ）やアナウンスなどの音声データを生成し、呼制御装置２００に出力する。呼制御装置２００は、その音声データを発信者情報生成装置１００から受け取り、公衆回線網インタフェース４００、公衆回線網１を介して、その音声データを移動体電話機１２に送信する。
【００２８】
呼制御装置２００からの発呼に対して移動体電話機１２が応答した場合、呼制御装置２００は、構内電話機１０に対して、構内電話機１０と移動体電話機１２との通話を許可する。
【００２９】
図５は、構内電話機１０、１１の構成を示すブロック図である。構内電話機１０、１１は、音声入力部１００１、音声出力部１００２、表示部１００４、入力部１００５、音声パケット変換部１００６、制御部１００７、有線ＬＡＮインタフェース１００８、メモリ部１０１０を具備している。
制御部１００７は、表示部１００４、入力部１００５、音声パケット変換部１００６、有線ＬＡＮインタフェース１００８、メモリ部１０１０に接続され、これらを制御する。
有線ＬＡＮインタフェース１００８は、有線ＬＡＮ基地局５、ＬＡＮ３を介して、主装置２に接続されるインタフェースである。
入力部１００５は、利用者が操作するためのキーを有している。
表示部１００４としては、ＬＣＤ（Ｌｉｑｕｉｄ  Ｃｒｙｓｔａｌ  Ｄｉｓｐｌａｙ）が例示される。
音声入力部１００１、音声出力部１００２は、受話器としての機能を有し、音声パケット変換部１００６に接続されている。通話はパケット通信であるため、音声パケット変換部１００６は、制御部１００７からのパケットを音声に変換して音声出力部１００２に出力し、音声入力部１００１から入力される音声をパケットに変換して制御部１００７に出力する。
【００３０】
図６は、移動体電話機８、９、１２の構成を示すブロック図である。移動体電話機８、９、１２は、音声入力部８０１、音声出力部８０２、発信者情報変換部８０３、表示部８０４、入力部８０５、音声パケット変換部８０６、制御部８０７、インタフェース部、メモリ部８１０を具備している。
制御部８０７は、発信者情報変換部８０３、表示部８０４、入力部８０５、音声パケット変換部８０６、インタフェース部、メモリ部８１０に接続され、これらを制御する。
インタフェース部は、無線ＬＡＮインタフェース８０８、公衆回線網インタフェース８０９を含んでいる。公衆回線網インタフェース８０９は、公衆回線網１を介して主装置２に接続されるインタフェースである。無線ＬＡＮインタフェース８０８は、自己の移動体電話機が無線ＬＡＮエリア内に存在する場合、無線ＬＡＮ基地局４、ＬＡＮ３を介して、主装置２に接続されるインタフェースである。
入力部８０５は、利用者が操作するためのキーを有している。
表示部８０４としては、ＬＣＤ（Ｌｉｑｕｉｄ  Ｃｒｙｓｔａｌ  Ｄｉｓｐｌａｙ）が例示される。
音声入力部８０１、音声出力部８０２は、受話器としての機能を有し、音声パケット変換部８０６に接続されている。通話はパケット通信であるため、音声パケット変換部８０６は、制御部８０７からのパケットを音声に変換して音声出力部８０２に出力し、音声入力部８０１から入力される音声をパケットに変換して制御部８０７に出力する。
メモリ部８１０には、後述の発信者情報送信装置電話番号テーブル８１１が格納されている。
【００３１】
図７は、発信者情報送信装置電話番号テーブル８１１を示している。発信者情報送信装置電話番号テーブル８１１には、主装置２の公衆回線網Ｉ／Ｆ４００側に割り当てられた外線番号が格納されている。公衆回線網１からの着呼を受ける際に送信されてくる発信者情報と照合し、主装置２からの発信であるか否かを判定することに用いられる。
【００３２】
主装置２からの発呼として、公衆回線網Ｉ／Ｆ４００側に割り当てられた外線番号（第３外線番号とする）を含む発信者情報（公衆発信者情報とする）が送信される。制御部８０７は、公衆回線網インタフェース８０９を介して、主装置２からの発呼を受け付ける。このとき、制御部８０７は、公衆回線網１からの着呼を受ける際に送信されてくる公衆発信者情報に含まれる第３外線番号と、発信者情報送信装置電話番号テーブル８１１に格納された複数の照合用外線番号のうちの１つとが一致するか否かを表す照合結果を生成する。
ここで、照合結果が一致を表している。この場合、制御部８０７は、公衆回線網１の呼を確立させる。
【００３３】
その後、制御部８０７は、公衆回線網インタフェース８０９を介して、主装置２から上記の音声データを受信する。制御部８０７は、音声データを音声パケット変換部８０６に出力し、音声データが表す内線電話要求が行われた旨を含む発信者情報を発信者情報変換部８０３に出力する。このとき、音声パケット変換部８０６は、上記の音声データを音声出力部８０２に出力する。また同時に、発信者情報変換部８０３は、上記の内線電話要求が行われた旨を含む発信者情報を受け取り、それを表示部８０４に表示可能な形式に変換した表示データを生成し、制御部８０７に出力する。制御部８０７は、その表示データを表示部８０４に表示する。
【００３４】
利用者は、移動体電話機１２の入力部８０５の操作により、主装置２からの発呼に対して、発呼を受け付けた旨を表す返答を公衆回線網インタフェース８０９、公衆回線網１を介して、主装置２に送信する。この場合、主装置２が、構内電話機１０に対して構内電話機１０と移動体電話機１２との通話を許可し、構内電話機１０と移動体電話機１２との通話が可能となる。
【００３５】
本発明の電話システムの動作について説明する。
【００３６】
ここで、図４に示されるように、転送先テーブル７０１には、移動体電話機１２に割り当てられた第１内線番号、第１外線番号として“０００１”、“０１２−７８９−３４５６”が格納されているものとする。また、転送先テーブル７０１には、発信側電話機１０に割り当てられた第２内線番号、第２外線番号として“００００”、“０１２−３４５−６７８９”が格納されているものとする。また、図７に示されるように、発信者情報送信装置電話番号テーブル８１１には、呼制御装置２００の公衆回線網Ｉ／Ｆ４００に割り当てられている、第３外線番号“０１２−０００−００００”が格納されているものとする。
【００３７】
図８は、本発明の電話システムの動作を示すフローチャートである。
【００３８】
構内電話機１０の制御部１００７は、移動体電話機１２に内線電話を行なうために、内線電話要求として第１内線番号“０００１”を含むＩＮＶＩＴＥを、有線ＬＡＮインタフェース１００８、ＬＡＮ通信網７、５、３を介して主装置２に送信する（ステップＳ１）。
【００３９】
主装置２の呼制御装置２００は、発信側電話機１０からの第１内線番号“０００１”を、有線ＬＡＮ網インタフェース６００を介して受け取り、内線電話要求が行なわれたことを認識する。このとき、呼制御装置２００は、有線ＬＡＮ網インタフェース６００、ＬＡＮ通信網３、５、７を介して構内電話機１０にＴｒｙｉｎｇ（１００）を返答する（ステップＳ２）。
【００４０】
発信側電話機１０の制御部１００７は、Ｔｒｙｉｎｇ（１００）を、有線ＬＡＮインタフェース１００８を介して受け取り、発呼先を探している意味を示す予め決められたアナウンス、呼び出し音を、音声パケット変換部１００６を介して音声出力部１００２に出力する（ステップＳ３）。
【００４１】
主装置２の呼制御装置２００は、発信側電話機１０からの内線電話要求として第１内線番号を受け取ったとき、ログイン有無管理テーブル２１０ａを参照する。このとき、第１内線番号“０００１”に対応する第１監視情報は、移動体電話機１２によるログインを表していない。この場合、呼制御装置２００は、移動体電話機１２が無線ＬＡＮエリアに存在しないと判断し、転送先テーブル７０１を参照して、第１内線番号“０００１”から第１外線番号“０１２−７８９−３４５６”に転送する転送処理を行なうことを決定する（ステップＳ４）。
【００４２】
主装置２の呼制御装置２００は、転送先テーブル７０１を参照して、第１内線番号“０００１”に対応する第１外線番号“０１２−７８９−３４５６”と、第２内線番号“００００”に対応する第２外線番号“０１２−３４５−６７８９”とを検索し、転送先電話番号である移動体電話機１２の公衆回線電話番号と、発信者電話番号である構内電話機１０の公衆回線電話番号を取得する（ステップＳ６）。
【００４３】
主装置２の呼制御装置２００は、取得した第１外線番号“０１２−７８９−３４５６”により、公衆回線網インタフェース４００、公衆回線網１を介して、移動体電話機１２に発呼する。その際、移動体電話機１２へ、公衆回線網１から、第３外線番号"０１２−０００−００００”を含む公衆発信者情報が通知される（ステップＳ６）。
【００４４】
移動体電話機１２の制御部８０７は、公衆発信者情報に含まれる第３外線番号が、発信者情報送信装置電話番号テーブル８１１に格納された複数の照合用外線番号のうちの１つとが一致するか否かを判定し、照合結果を生成する（ステップＳ７）。
【００４５】
照合結果が一致を表している場合、移動体電話機１２の制御部８０７は、公衆回線網１との呼を確立させる（ステップＳ８）。
【００４６】
主装置２の呼制御装置２００は、公衆回線網１を介した呼が確立すると、転送先テーブル７０１を参照して、上記の内線電話要求が行われた旨として、発信者電話番号である第２外線番号又は第２内線番号を含む発信者情報を発信者情報生成装置１００に出力する。発信者情報生成装置１００は、上記の発信者情報を表す音声データを生成し、呼制御装置２００に出力する。呼制御装置２００は、その音声データを発信者情報生成装置１００から受け取り、公衆回線網インタフェース４００、公衆回線網１を介して、その音声データを移動体電話機１２に送信する（ステップＳ９）。
【００４７】
移動体電話機１２の制御部８０７は、公衆回線網インタフェース８０９を介して、主装置２から上記の音声データを受信する。制御部８０７は、音声データを音声パケット変換部８０６に出力し、音声データが表す発信者情報を発信者情報変換部８０３に出力する。このとき、音声パケット変換部８０６は、上記の音声データを音声出力部８０２に出力する。また同時に、発信者情報変換部８０３は、上記の発信者情報を受け取り、それを表示部８０４に表示可能な形式に変換した表示データを生成し、制御部８０７に出力する。制御部８０７は、その表示データを表示部８０４に表示する（ステップＳ１０）。
【００４８】
主装置２の呼制御装置２００は、ステップＳ９を実行したときに、有線ＬＡＮ網インタフェース６００、ＬＡＮ通信網３、５、７を介して構内電話機１０にＲｉｎｇｉｎｇ（１８０）を返答する（ステップＳ１１）。
【００４９】
発信側電話機１０の制御部１００７は、Ｒｉｎｇｉｎｇ（１８０）を、有線ＬＡＮインタフェース１００８を介して受け取り、予め決められた発信音を、音声パケット変換部１００６を介して音声出力部１００２に出力する（ステップＳ１２）。
【００５０】
移動体電話機１２の制御部８０７は、ステップＳ１０を実行したときに、主装置２からの発呼として、予め決められた着信音を、音声パケット変換部８０６を介して音声出力部８０２に出力する（ステップＳ１３）。
【００５１】
利用者は、移動体電話機１２の入力部８０５の操作により、主装置２からの発呼（着信音）に対して応答する。この場合、制御部８０７は、その応答を示す音声データ（ＤＴＭＦなど）を、公衆回線網インタフェース８０９、公衆回線網１を介して、主装置２に送信する（ステップＳ１４）。
【００５２】
主装置２の呼制御装置２００は、公衆回線網インタフェース４００を介して、上記の応答を受け付ける。このとき、呼制御装置２００は、有線ＬＡＮ網インタフェース６００、ＬＡＮ通信網３、５、７を介して構内電話機１０にＯＫ（２００）を送信する（ステップＳ１５）。
【００５３】
発信側電話機１０の制御部１００７は、ＯＫ（２００）を、有線ＬＡＮインタフェース１００８を介して受け取る。このとき、制御部１００７は、ＡＣＫを、有線ＬＡＮインタフェース１００８、ＬＡＮ通信網７、５、３を介して主装置２に送信する（ステップ１６）。
【００５４】
主装置２の呼制御装置２００は、発信側電話機１０からのＡＣＫを、有線ＬＡＮ網インタフェース６００を介して受け取る。この場合、呼制御装置２００は、構内電話機１０に対して、構内電話機１０と移動体電話機１２との通話を許可する。即ち、構内電話機１０と移動体電話機１２との通話が可能となる。
【００５５】
以上の説明により、本発明の電話システムは、主装置２にサーバ２１０と転送先テーブル７０１と呼制御装置２００とを設けることにより、移動体電話機１２が無線ＬＡＮエリアに存在しないときに、主装置２が第１内線番号から第１外線番号に転送する場合、内線電話要求が行われた旨を含む発信者情報を移動体電話機１２の利用者に迅速に通知することができる。このため、発信側電話機８〜１１、移動体電話機１２の利用者に対して、発呼から通話まで長く待たせるような不快感を与えない。
【００５６】
また、本発明の電話システムは、主装置２に発信者情報生成装置１００を更に設け、移動体電話機１２に制御部８０７と音声出力部８０２とを設けることにより、内線電話要求が行われた旨を含む発信者情報を、移動体電話機１２の利用者に音声により通知することができる。
【００５７】
また、本発明の電話システムは、移動体電話機１２に発信者情報変換部８０３と表示部８０４とを更に設けることにより、内線電話要求が行われた旨を含む発信者情報を移動体電話機１２の利用者に表示して通知することができる。
【００５８】
また、本発明の電話システムは、移動体電話機１２に発信者情報送信装置電話番号テーブル８１１を更に設けることにより、内線電話要求が行われた旨を含む発信者情報を移動体電話機１２の利用者に確実に通知することができる。
【図面の簡単な説明】
【００５９】
【図１】図１は、本発明の電話システムの構成を示すブロック図である。
【図２】図２は、主装置２の構成を示すブロック図である。
【図３】図３は、ログイン有無管理テーブル２１０ａを示している。
【図４】図４は、転送先テーブル７０１を示している。
【図５】図５は、構内電話機１０、１１の構成を示すブロック図である。
【図６】図６は、移動体電話機８、９、１２の構成を示すブロック図である。
【図７】図７は、発信者情報送信装置電話番号テーブル８１１を示している。
【図８】図８は、本発明の電話システムの動作を示すフローチャートである。
【符号の説明】
【００６０】
１    公衆回線網
２    主装置
３    ＬＡＮ
４    無線ＬＡＮ基地局
５    有線ＬＡＮ基地局
６    無線ＬＡＮ
７    優先ＬＡＮ
８、９、１２    無線ＬＡＮ内蔵移動体電話機（移動体電話機）
１０、１１    有線ＬＡＮ構内電話機（構内電話機）
１００    発信者情報生成装置
２００    呼制御装置
２１０    レジストサーバ
２１０ａ    ログイン有無管理テーブル
２１０ｂ    サーバ制御部
３００    ゲートウエイ
４００    公衆回線網インタフェース
５００    無線ＬＡＮ網インタフェース
６００    有線ＬＡＮ網インタフェース
７００    メモリ部
７０１    転送先テーブル
８０１    音声入力部
８０２    音声出力部
８０３    発信者情報変換部
８０４    表示部
８０５    入力部
８０６    音声パケット変換部
８０７    制御部
８０８    無線ＬＡＮインタフェース
８０９    公衆回線網インタフェース
８１０    メモリ部
８１１    発信者情報送信装置電話番号テーブル
１００１    音声入力部
１００２    音声出力部
１００４    表示部
１００５    入力部
１００６    音声パケット変換部
１００７    制御部
１００８    無線ＬＡＮインタフェース
１０１０    メモリ部
【図１】
2007281866.tif 000003
【図２】
2007281866.tif 000004
【図３】
2007281866.tif 000005
【図４】
2007281866.tif 000006
【図５】
2007281866.tif 000007
【図６】
2007281866.tif 000008
【図７】
2007281866.tif 000009
【図８】
2007281866.tif 000010